(57)【要約】【課題】バックライト用の冷陰極管を備えた液晶表示装置において，ＩｒＳｉｍｐｌｅ規格に基づく信号伝送のように，赤外線により画像データを高速で受信してその画像データに基づく画像を液晶パネルに表示させる場合に，冷陰極管から放射される近赤外線と画像データ受信用の赤外線との干渉を回避できること。【解決手段】高速で赤外線による無線信号受信を行うことによって画像データを受信するＩｒＳｉｍｐｌｅ受光部９ｂと，ＩｒＳｉｍｐｌｅ受光部９ｂを通じた信号受信を行う状態への切替信号の入力を検知するとともに，その切替信号を検知した後からＩｒＳｉｍｐｌｅ受光部９ｂを通じた信号受信処理の終了後まで，冷陰極管１２の光量を減衰させる又は発光を停止させる制御回路８とを備える。【選択図】図１
2008262108.tif 000002
【特許請求の範囲】
【請求項１】
冷陰極管を含む光源により液晶パネルをその背面側から照明する照明手段と，赤外線による無線信号受信によって画像データを受信する画像データ赤外線受信手段とを備え，前記画像データ赤外線受信手段を通じて受信された前記画像データに基づく画像を前記液晶パネルに表示させる液晶表示装置であって，
前記画像データ赤外線受信手段を通じて画像データの受信を行う状態への切替信号の入力を検知する切替信号検知手段と，
前記切替信号検知手段により前記切替信号の入力が検知された後から前記画像データ赤外線受信手段を通じた画像データ受信処理の終了後まで，前記冷陰極管の光量を減衰させる又は発光を停止させる冷陰極管発光制御手段と，
を具備してなることを特徴とする液晶表示装置。
【請求項２】
前記冷陰極管発光制御手段が，複数設けられた前記冷陰極管のうち，前記液晶パネルにおける一部の情報表示領域以外の領域を照明する一部の前記冷陰極管についてのみ光量を減衰させる又は発光を停止させるものである請求項１に記載の液晶表示装置。
【請求項３】
前記液晶パネルを照明する前記光源に前記冷陰極管とは発光色が異なる光源である異色光源が含まれ，
前記冷陰極管発光制御手段により前記冷陰極管の光量の減衰又は発光の停止がなされているときに，前記異色光源の光量を減衰させる又は発光を停止させる異色光源発光制御手段と，
を具備してなる請求項１に記載の液晶表示装置。
【請求項４】
前記冷陰極管発光制御手段が，複数設けられた前記冷陰極管のうち，前記液晶パネルにおける一部の情報表示領域以外の領域を照明する一部の前記冷陰極管についてのみ光量を減衰させる又は発光を停止させるものであり，
前記異色光源発光制御手段が，複数設けられた前記異色光源のうち，前記一部の情報表示領域以外の領域を照明する一部の前記異色光源についてのみ光量を減衰させる又は発光を停止させるものである請求項３に記載の液晶表示装置。
【請求項５】
前記切替信号検知手段が，前記画像データ赤外線受信手段よりも低速で赤外線による無線信号受信を行う赤外線受信手段を通じて入力される前記切替信号を検知してなる請求項１〜４のいずれかに記載の液晶表示装置。
【請求項６】
前記画像データ赤外線受信手段がＩｒＳｉｍｐｌｅ規格に準拠した無線信号受信を行うものである請求項１〜５のいずれかに記載の液晶表示装置。
【発明の詳細な説明】
【技術分野】
【０００１】
本発明は，液晶表示パネルをその背面から照明する冷陰極管を備えた液晶表示装置に関するものである。
【背景技術】
【０００２】
液晶表示装置は，液晶表示パネルをその背面から照明するバックライト（背面照明手段）を備え，このバックライトとしては，一般的に，赤，緑及び青の各波長の光の合成光を発光する冷陰極管（蛍光管）が採用される。また，冷陰極管の光は，人間の視覚に適したホワイトバランスに対して赤色の波長帯の光強度がやや不足する傾向にあるため，冷陰極管と赤色の発光ダイオード（ＬＥＤ）とを組み合わせたハイブリッド型のバックライトも存在する。
赤外線による信号伝送の規格としては，従来周知の国際標準規格であるＩｒＤＡ規格（ハードウェア及び信号伝送プロトコルの規格）が存在し既に普及している。さらに，昨今，ＩｒＤＡ規格とハードウェハ互換があり，信号伝送プロトコル（ソフトウェア）の置き換えにより高速信号伝送を可能とする赤外線信号伝送規格であるＩｒＳｉｍｐｌｅ規格が開発された。ＩｒＳｉｍｐｌｅ規格に基づく信号伝送速度は，従来周知のＩｒＤＡ規格の４倍〜１０倍程度である。このＩｒＳｉｍｐｌｅ規格も，既に国際標準規格となっている。
ＩｒＳｉｍｐｌｅ規格に基づく信号伝送は，非常に高速であるため，例えば，写真画像データなどの大容量のデータを携帯電話機などの端末からテレビジョン受像機に伝送するなどの用途に好適である。
【０００３】
ところで，液晶表示装置のバックライト用の前記冷陰極管は，５０ｋＨｚ程度のインバータ回路により高周波点灯されるが，このような冷陰極管は，起動直後や低温状態での点灯中に，リモコンの信号伝送やＩｒＤＡ規格及びＩｒＳｉｍｐｌｅ規格での信号伝送に用いられる赤外線に近似する波長の近赤外線を放射することが知られている。そのため，液晶表示装置からリモコン等の端末までの距離が特に離れている場合や，大サイズのデータを高速伝送する場合には，低温の前記冷陰極管から放射される近赤外線と信号伝送用の赤外線との干渉（以下，赤外線干渉という）により，赤外線信号による信号伝送が正常に行なわれなくなるという問題点があった。特に，ＩｒＳｉｍｐｌｅ規格に基づく信号伝送のように，赤外線により画像データ等の大容量データを高速伝送する場合，前記赤外線干渉が生じると信号誤りが多発してほとんど有効な信号伝送を行なえなくなる。
一方，特許文献１には，赤外線信号の送信距離を延ばすために，冷陰極管の点灯直後から安定状態に至るまでの非安定時（低温時）と安定状態に至った後とで，それぞれ波長が異なる赤外線信号によりリモコン信号の伝送を行う技術について示されている。
また，特許文献２には，冷陰極管が起動してから安定状態に至る時間の短縮，即ち，近赤外線の放射時間の短縮のため，起動時（低温時）の冷陰極管をヒータで加熱したり，一時的に調光レベルをアップしたりする技術について示されている。
【特許文献１】特開平６−３３３６７８号公報
【特許文献２】特開平７−１４７１９６号公報
【発明の開示】
【発明が解決しようとする課題】
【０００４】
しかしながら，液晶表示装置が，特許文献１に示されるように，波長の異なる複数の赤外線信号を使い分けて端末との間の信号伝送を行う場合，１種類の赤外線信号しか用いない既存のリモコンやＩｒＳｉｍｐｌｅ規格による信号伝送を行う機器などの端末は，その信号伝送に対応できないという問題点があった。しかも，そのような液晶表示装置は，赤外線信号の波長ごとに種類の異なる信号伝送用部品（ハードウェア）が必要となり，組み立て工数の増大やコスト増大につながるという問題点もあった。
また，特許文献２に示されるように，ヒータによる加熱や調光レベルのアップによって冷陰極管の昇温速度を速めると，消費電力が増大するという問題点があった。特に，液晶表示装置においては，広範囲に亘って配列された多数の冷陰極管の全てをヒータで加熱することは，配置スペース等の問題により現実的ではない。
従って，本発明は上記事情に鑑みてなされたものであり，その目的とするところは，バックライト用の冷陰極管を備えた液晶表示装置において，ＩｒＳｉｍｐｌｅ規格に基づく信号伝送のように，赤外線により画像データを高速で受信してその画像データに基づく画像を液晶パネルに表示させる場合に，冷陰極管から放射される近赤外線と画像データ受信用の赤外線との干渉を回避できる液晶表示装置を提供することにある。
【課題を解決するための手段】
【０００５】
上記目的を達成するために，本発明に係る液晶表示装置は，冷陰極管を含む光源により液晶パネルをその背面側から照明する照明手段と，赤外線による無線信号受信によって画像データを受信する画像データ赤外線受信手段とを備え，前記画像データ赤外線受信手段を通じて受信された前記画像データに基づく画像を前記液晶パネルに表示させるものであり，さらに，次の（１）及び（２）に示す各構成要素を備えるものである。
（１）前記画像データ赤外線受信手段を通じて画像データの受信を行う状態への切替信号の入力を検知する切替信号検知手段。
（２）前記切替信号検知手段により前記切替信号の入力が検知された後から前記画像データ赤外線受信手段を通じた画像データ受信処理の終了後まで，前記冷陰極管の光量を減衰させる又は発光を停止させる冷陰極管発光制御手段。
なお，前記画像データ赤外線受信手段の典型例は，ＩｒＳｉｍｐｌｅ規格に準拠した無線信号受信を行う赤外線受信手段である。
【０００６】
本発明に係る液晶表示装置は，前記画像データ赤外線受信手段によって赤外線による高速信号伝送を行う間は，干渉信号の発生源となる前記冷陰極管の光量減衰又は発光停止（消灯）を行う。これにより，前記画像データ赤外線受信手段により大容量の画像データを高速伝送する場合に，前記冷陰極管から放射される近赤外線と信号伝送用の赤外線との干渉（前記赤外線干渉）を回避でき，しかも，消費電力の低減にも寄与する。
ここで，ＩｒＳｉｍｐｌｅ規格などに準拠した前記画像データ赤外線受信手段による高速信号伝送が行われるのは，画像データ（主として写真画像データ）を携帯電話機などの端末から前記液晶表示装置に伝送し，その画像データに基づく液晶パネルへの画像表示処理を行う場合であるため，データ伝送中に表示画面が暗くなっても特に支障はない。
【０００７】
本発明に係る液晶表示装置のより具体的な構成としては，例えば，前記冷陰極管発光制御手段が，複数設けられた前記冷陰極管のうち，前記液晶パネルにおける一部の情報表示領域以外の領域を照明する一部の前記冷陰極管についてのみ光量を減衰させる又は発光を停止させることが考えられる。
これにより，前記冷陰極管による通常の照明状態が維持された前記液晶パネルの一部の領域（前記一部の情報表示領域）に，少なくとも前記画像データ赤外線受信手段によるデータ伝送中である旨を通知するメッセージ等を表示させることができ好適である。
また，本発明に係る液晶表示装置において，前記液晶パネルを照明する前記光源に前記冷陰極管とは発光色が異なる光源である異色光源が含まれる場合，即ち，前記照明手段がハイブリッド型のバックライトである場合が考えられる。例えば，前記照明手段が，冷陰極管（例えば，水色）と赤色ＬＥＤとが組み合わされたハイブリッド型のバックライトである場合である。この場合，本発明に係る液晶表示装置が，前記冷陰極管発光制御手段により前記冷陰極管の光量の減衰又は発光の停止がなされているときに，前記異色光源の光量を減衰させる又は発光を停止させる異色光源発光制御手段をさらに具備していることが考えられる。
例えば，前記冷陰極管及び前記異色光源の両方の光量を減衰させることにより，データ伝送中に何らかの情報を前記液晶パネルで表示する場合に，バックライトのホワイトバランスを維持することができる。また，データ伝送中に前記液晶パネルで情報表示を行わない場合には，前記冷陰極管及び前記異色光源の両方の発光を停止させることによってより省電力化が図れる。
また，前記冷陰極管発光制御手段が，複数設けられた前記冷陰極管のうち，前記液晶パネルにおける一部の情報表示領域以外の領域を照明する一部の前記冷陰極管についてのみ光量を減衰させる又は発光を停止させ，さらに，前記異色光源発光制御手段が，複数設けられた前記異色光源のうち，前記一部の情報表示領域以外の領域を照明する一部の前記異色光源についてのみ光量を減衰させる又は発光を停止させることも考えられる。
これにより，前記冷陰極管及び前記異色光源による通常の照明状態（ホワイトバランスが適切な状態）が維持された前記液晶パネルの一部の領域（前記一部の情報表示領域）に，少なくとも前記画像データ赤外線受信手段によるデータ伝送中である旨を通知するメッセージ等を表示させることができ好適である。
【発明の効果】
【０００８】
本発明によれば，バックライト用の冷陰極管を備えた液晶表示装置において，ＩｒＳｉｍｐｌｅ規格に基づく信号伝送のように，赤外線により大容量の画像データを高速伝送する場合に，冷陰極管から放射される近赤外線と信号伝送用の赤外線との干渉を回避でき，また，バックライトの省電力効果も得られる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶表示装置の一例であるテレビジョン受像機Ｘの概略構成を表すブロック図，図２はテレビジョン受像機Ｘの内部における冷陰極管及びＬＥＤの配置状態を表す図，図３はテレビジョン受像機Ｘにおけるバックライト制御の手順を表すフローチャート，図４はテレビジョン受像機ＸにおけるＩｒＳｉｍｐｌｅ受光部を通じた信号伝送中における液晶表示パネルの表示画面の一例を表す図である。
【００１０】
まず，図１に示すブロック図を参照しつつ，本発明の実施形態に係る液晶表示装置の一例であるテレビジョン受像機Ｘの構成について説明する。
テレビジョン受像機Ｘは，アンテナ等により受信されたテレビジョン放送信号から放送番組に関する映像信号を抽出し，その映像信号に基づく映像を液晶パネル２１により表示するものである。その液晶パネル２１の背面には，それを背面から照明するバックライト（前記背面照明手段に相当）の光源である水色発光する冷陰極管１２（図中，ＣＣＦＬと表す）及び赤色発光するＬＥＤ１３（前記異色光源の一例）が設けられている。なお，ここでは，液晶表示装置の一例としてテレビジョン受像機Ｘを示すが，本発明の適用対象はこれに限る物ではなく，例えば，計算機の液晶表示装置等，液晶表示パネルとそれを背面照明する複数のバックライトを備えるものであれば，他の液晶表示装置であってもかまわない。
図１に示すように，テレビジョン受像機Ｘは，複数のチューナ１ａ，１ｂ，１ｃ，映像切替回路３，映像処理回路４，リモコン７ａ，制御回路８，リモコン受光部９ａ，ＩｒＳｉｍｐｌｅ受光部９ｂ，液晶パネル２１，バックライトを構成する冷陰極管１２及びＬＥＤ１３，インバータ回路１４，ＬＥＤ駆動回路１５，カラーセンサ１６，明るさセンサ１７，音声切替回路１０，音声処理回路１１，アンプ２２，及びスピーカ２３等を具備している。
【００１１】
前記チューナ１ａ，１ｂ，１ｃは，各々地上波放送信号，ＢＳ衛星放送信号及びＣＡＴＶ放送信号の各々が入力され，入力された各放送信号から前記制御回路８により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
前記映像切替回路３は，前記チューナ１ａ，１ｂ，１ｃ各々からの映像信号を入力し，それらの映像信号のうちの任意の１つの映像信号を前記制御回路８からの指示に従って選択して出力するものである。
【００１２】
前記映像処理回路４は，前記映像切替回路３から出力された映像信号に対して各種信号処理を行うものである。例えば，映像信号から水平及び垂直同期信号の分離，その同期信号に位相同期したクロック信号の生成，映像信号からの輝度信号及び色信号の分離，所定の画質改善処理等を行い，処理後の映像信号を前記液晶パネル２１に出力する。また，前記映像処理回路４は，前記制御回路８から与えられた情報や画像データに基づいて映像信号を生成し，その映像信号を前記液晶パネル２１に出力する機能も備えている。
前記音声切替回路１０は，前記チューナ１ａ，１ｂ，１ｃ各々からの音声信号が入力され，それらの音声信号のうちの任意の１つの音声信号を，前記制御回路８からの指示に従って前記音声処理回路１１に出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。また，前記音声処理回路１０は，前記制御回路８から与えられた情報に基づいて音声信号を生成し，その音声信号を前記スピーカ２３を通じて出力させる機能も備えている。
前記アンプ２２は，前記音声処理回路１１による処理後の音声信号を，前記制御回路８からの指示に従って増幅或いは減衰させる処理を行い，前記スピーカ２３に出力するものである。
また，前記液晶パネル２１は，映像処理回路４から出力される映像信号に基づく映像（画像）を表示するものである。
また，前記明るさセンサ１７は，液晶パネル２１の前面側の明るさを検知するセンサであり，前記カラーセンサ１６は，液晶パネル２１の背面側における光の色分布（Ｒ，Ｇ，Ｂの分布）を検知するセンサである。これらのセンサは，後述するように，冷陰極管１２やＬＥＤ１３の明るさ（出力）制御に用いられる。
【００１３】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該テレビジョン受像機Ｘ全体を制御するものである。前記不揮発メモリ８ｃは，例えばフラッシュメモリ等である。
前記リモコン受光部９ａは，当該テレビジョン受像機Ｘの操作用のリモコン７ａ（リモート操作器）から，所定の信号伝送プロトコル（前記リモコンプロトコル）に従って比較的低速な信号伝送により，赤外線による無線信号受信を行う信号伝送インターフェースである（前記赤外線受信手段の一例）。前記リモコン受光部９ａにおける赤外線信号の波長は，９４０〜９５０ｎｍ程度であり，その信号伝送速度は数ｋｂｐｓ程度である。前記リモコン受光部９ａは，赤外線信号伝送によって前記リモコン７ａに対する操作入力情報を取得し，その操作入力情報を前記制御回路８に伝送する。
前記ＩｒＳｉｍｐｌｅ受光部９ｂは，周知のＩｒＳｉｍｐｌｅ規格に準拠した信号伝送インターフェースであり，前記リモコン受光部９ａよりも高速で赤外線による無線信号受信を行うことによって画像データの受信を行う（前記画像データ赤外線受信手段の一例）。前記ＩｒＳｉｐｍｐｌｅ受光部９ｂにおける赤外線信号の波長は，８５０〜９００ｎｍ程度であり，その信号伝送速度は４Ｍｂｐｓ程度である。前記ＩｒＳｉｍｐｌｅ受光部９ｂは，携帯電話機などの携帯端末７ｂから，画像データを受信し，その画像データを前記制御回路８に伝送する。そして，前記制御回路８は，前記ＩｒＳｉｍｐｌｅ受光部９ｂを通じて受信した画像データを前記不揮発メモリ８ｃに一次記憶させるとともに，その画像データの再生処理，即ち，その画像データに基づく映像信号を前記映像処理回路４に生成させることにより，その画像データに基づく画像を前記液晶パネル２１に表示させる処理を実行する。なお，画像データが，揮発性メモリにより記憶されることも考えられる。
【００１４】
液晶パネル２１のバックライト（前記照明手段に相当）を構成する冷陰極管１２は，緑及び青の各波長の光の合成光（水色）を発光するものであり，複数の冷陰極管が配列されて構成されている。また，同じくバックライトを構成するＬＥＤ１３は，赤色波長の光を発光する赤色ＬＥＤであり，複数の冷陰極管１２の間等に複数配列されて構成されている。
図２は，テレビジョン受像機Ｘの内部における冷陰極管１２及びＬＥＤ１３の配置状態を表す図である。
図２に示すように，冷陰極管１２は，液晶パネル２１の背面全体に渡る領域において上下方向に並ぶよう配列され，それら複数の冷陰極管１２の間に，複数のＬＥＤ１３が等間隔で配列されている。
また，テレビジョン受像機Ｘの前面パネルには，前記リモコン受光部９ａ及び前記ＩｒＳｉｍｐｌｅ受光部９ｂが配置されている。
【００１５】
前記インバータ回路１４（図中，ＩＮＶ回路と示す）は，制御回路８から出力される制御信号に従って，冷陰極管１２への供給電力を調節する回路である。即ち，制御回路８がインバータ回路１４に出力する制御信号を調節することにより，ＰＷＭ（Pulse Width Modulation：パルス幅階調）調光による冷陰極管１２の明るさ調節が行われる。これにより，冷陰極管１２の点灯，消灯及び明るさの制御が行われる。なお，前記インバータ回路１４は，前記冷陰極管１２それぞれについて個別に点灯，消灯及び明るさの制御が可能である。
また，前記ＬＥＤ駆動回路１５は，制御回路８から出力される制御指令に従って，ＬＥＤ１３（赤色ＬＥＤ）に対する供給電力を調節することによってＬＥＤ１３の明るさ調節を行う回路である。これにより，ＬＥＤ１３の点灯，消灯及び明るさの制御が行われる。なお，前記ＬＥＤ駆動回路１５は，横方向の一列分（一行分）のＬＥＤ１３ごとに個別に点灯，消灯及び明るさの制御が可能である。
なお，前記制御回路８は，前記液晶パネル２１の前面側の明るさを検知する明るさセンサ１７の検知レベルや，前記液晶パネル２１の背面側の光の色分布を検知するカラーセンサ１６の検知結果に応じて，冷陰極管１２の明るさ（光量）調節やＬＥＤ１３の明るさ（光量）調節等も行うが，ここでは，その詳細についての説明は省略する。
【００１６】
次に，図３に示すフローチャートを参照しつつ，制御回路８のＭＰＵ８ａが所定の制御プログラムを実行することにより実現されるバックライト制御の手順について説明する。なお，図３に示す処理の開始時点において，テレビジョン受像機Ｘは，バックライト（前記冷陰極管１２及びＬＥＤ１３）を点灯し，前記液晶パネル２１に放送番組の映像を表示している状態であるものとする。また，以下に示すＳ１，Ｓ２，…は，処理手順（ステップ）の識別符号を表す。
まず，前記制御回路８は，前記リモコン受光部９ａを通じて，前記リモコン７ａから何らかの指令信号が受信されるか否かを監視する（Ｓ１）。
そして，前記制御回路８は，前記リモコン受光部９ａ（前記赤外線受信手段の一例）を通じて何らかの指令信号が受信されると，その指令信号が受信モード切替信号であるか否かを判別する（Ｓ２）。前記受信モード切替信号は，前記リモコン受光部９ａを通じた信号受信を行うモードから，前記ＩｒＳｉｍｐｌｅ受光部９ｂを通じた信号受信を行うモードへ切り替えることを指令する信号である。なお，前記ステップＳ１及びＳ２の処理を実行する前記制御回路８が，前記切替信号検知手段の一例である。
ところで，当該テレビジョン受像機Ｘが，その本体に所定の操作ボタンを備え，前記制御回路８が，その操作ボタンの操作（押下）に応じて変化する信号を入力し，その入力信号を前記受信モード切替信号として検知することも考えられる。
【００１７】
そして，前記制御回路８は，前記受信モード切替信号の受信を検知した場合，前記インバータ回路１４を制御することにより，複数設けられた前記冷陰極管１２のうち，前記液晶パネル２１における一部の情報表示領域ａ１以外の領域を照明する一部の前記冷陰極管１２についてのみ発光を停止させる（Ｓ３，前記冷陰極管発光制御手段の一例）。同時に，前記制御回路８は，前記ＬＥＤ駆動回路１５を制御することにより，複数設けられた赤色のＬＥＤ１３のうち，前記一部の情報表示領域ａ１以外の領域を照明する一部の数列のＬＥＤ１３についてのみ発光を停止させる（Ｓ３，前記異色光源発光制御手段の一例）。
さらに，前記制御回路８は，前記映像処理回路４に表示情報を引き渡すことにより，前記液晶パネル２１の前記情報表示領域ａ１（前記冷陰極管１２及び前記ＬＥＤ１３による照明が維持されている領域）に，前記ＩｒＳｉｍｐｌｅ受光部９ｂを通じたデータ受信処理中である旨を表すメッセージを表示させる（Ｓ４）。
さらに，前記制御回路８は，前記ＩｒＳｉｍｐｌｅ受光部９ｂを通じて前記携帯端末７ｂから画像データを受信する処理を実行する（Ｓ５）。なお，受信データは前記不揮発メモリ８ｃに記録される。
【００１８】
図４は，ステップＳ３の処理が実行されることにより，前記ＩｒＳｉｍｐｌｅ受光部９ｂを通じた信号伝送が行なわれている最中に前記液晶表示パネル２１に表示される画面の一例を表す図である。
図４に示すように，前記制御回路８は，ステップＳ３の処理において，複数設けられた前記冷陰極管１２及び前記ＬＥＤ１３のうち，前記ＩｒＳｉｍｐｌｅ受光部９ｂの位置に対して最も離れて配置されているものから順に所定数分の冷陰極管１２及びＬＥＤ１３（図４では２本の冷陰極管１２及び２列分のＬＥＤ１３）のみ発光を停止させる。これにより，前記液晶パネル２１における一部の情報表示領域ａ１を照明する前記冷陰極管１２及び前記ＬＥＤ１３の点灯が維持され，その情報表示領域ａ１を除く残りの領域ａ２を照明する前記冷陰極管１２及び前記ＬＥＤ１３（一部）のみが消灯した状態となる。
これにより，データ伝送中である旨をユーザに通知することができ，また，その通知（メッセージ）の表示領域のホワイトバランスが適正に維持される。
【００１９】
そして，前記制御回路８は，前記ＩｒＳｉｍｐｌｅ受光部９ｂを通じた前記携帯端末７ｂからの画像データの受信が終了したか否かを判別（Ｓ６）しながらデータ受信処理を継続する。そして，前記制御回路８は，前記ＩｒＳｉｍｐｌｅ受光部９ｂを通じたデータ受信の終了を検知すると，前記インバータ回路１４及び前記ＬＥＤ駆動回路１５を制御することにより，全ての冷陰極管１２及び全てのＬＥＤ１３を点灯させる（Ｓ７）。
続いて，前記制御回路８は，前記不揮発メモリ８ｃに記録した受信データ（画像データ）の再生処理を実行し（Ｓ８），処理を前述したステップＳ１へ戻す。
具体的には，前記制御回路８は，前記映像処理回路４を通じて，画像データに基づく画像（写真画像など）を前記液晶パネル２１に表示させる。
【００２０】
以上に示したように，前記制御回路８は，ステップＳ２〜Ｓ７の処理を実行することにより，前記受信モード切替信号を受信した後から前記ＩｒＳｉｍｐｌｅ受光部９ｂを通じた信号受信処理の終了後まで，前記情報表示領域ａ１を除く残りの領域ａ２を照明する前記冷陰極管１２及び前記ＬＥＤ１３の発光を停止させる（前記冷陰極管発光制御手段の一例）。なお，前記制御回路８が，ステップＳ３において，前記情報表示領域ａ１を除く残りの領域ａ２を照明する前記冷陰極管１２及び前記ＬＥＤ１３の光量を減衰させることも考えられる。
これにより，前記ＩｒＳｉｍｐｌｅ受光部９ｂを通じて大容量の画像データを高速受信する場合に，前記冷陰極管１２から放射される近赤外線と信号伝送用の赤外線との干渉（前記赤外線干渉）を回避でき，しかも，消費電力の低減にも寄与する。特に，前記冷陰極管１２の発光の停止中に前記ＬＥＤ１３の発光も停止されるので省電力効果がより高まる。
また，図４に示したように，前記制御回路８は，ステップＳ３の処理において，複数設けられた前記冷陰極管１２及び前記ＬＥＤ１３のうち，前記ＩｒＳｉｍｐｌｅ受光部９ｂの位置に対して最も近くに配置されているものから順に所定数分の冷陰極管１２及びＬＥＤ１３のみ発光を停止させるため，前記赤外線干渉をより確実に回避できる。
【００２１】
ところで，前記リモコン受光部９ａによる前記受信モード切替信号の受信は，ごく小容量のデータ（指令）を低速で受信する処理であるので，一時的に前記赤外線干渉が生じても，送信側からのデータ（指令）の連続送信などによって前記赤外線干渉による受信不良を回避できることが多い。また，前記ＩｒＳｉｍｐｌｅ受光部９ｂによる高速信号受信が行われるのは，例えば，例えば，画像データを携帯電話機などの前記携帯端末７ｂから前記液晶表示装置Ｘに伝送し，その画像データに基づく再生処理行う場合であるため，データ伝送中に表示画面が暗くなっても特に支障はない。特に，受信データ（画像データ）がプログレッシブＪＰＥＧデータである場合，そのデータに基づく通常の表示処理（ぼんやりした画像表示から徐々に鮮明な画像表示に変化させること）を実行すると，ユーザが，液晶パネル２１のビット落ち等の故障であるかのように錯覚する恐れがあるため，データ伝送途中での画像表示を行なわない方が好適である。
【００２２】
以上に示したテレビジョン受像機Ｘは，ハイブリッド型のバックライトを備えるが，前記テレビジョン受像機Ｘが，前記冷陰極管１２のみを光源とするバックライトを備える場合であっても同様の処理によって同じ作用効果が得られる。
また，前記テレビジョン受像機Ｘは，前記制御回路８が，ステップＳ３において，複数設けられた前記冷陰極管１２及びＬＥＤ１３のうち，前記情報表示領域ａ１以外の領域ａ２を照明する一部についてのみ光量を減衰させる又は発光を停止させるものであった。しかしながら，前記制御回路８が，ステップＳ３において，全ての前記冷陰極管１２及びＬＥＤ１３の光量を減衰させる又は発光を停止させることも考えられる。
【００２３】
また，バックライトの光源として，前記冷陰極管１２以外に，前記情報表示領域ａ１を照明するとともに，発光色が白色で赤外線を放射しない他の光源（白色ＬＥＤなど）を備えたテレビジョン受像機も考えられる。この場合，前記制御回路８が，ステップＳ３において，前記冷陰極管１２の光量を減衰させる又は発光を停止させるとともに，前記情報表示領域ａ１を照明する前記他の光源を点灯させることが考えられる。
このような構成によっても，データ伝送中における前記情報表示領域ａ１のホワイトバランスを維持できる。
【産業上の利用可能性】
【００２４】
本発明は，液晶テレビジョン受像機などの液晶表示装置に利用可能である。
【図面の簡単な説明】
【００２５】
【図１】本発明の実施形態に係る液晶表示装置の一例であるテレビジョン受像機Ｘの概略構成を表すブロック図。
【図２】テレビジョン受像機Ｘの内部における冷陰極管及びＬＥＤの配置状態を表す図。
【図３】テレビジョン受像機Ｘにおけるバックライト制御の手順を表すフローチャート。
【図４】テレビジョン受像機ＸにおけるＩｒＳｉｍｐｌｅ受光部を通じた信号伝送中における液晶表示パネルの表示画面の一例を表す図。
【符号の説明】
【００２６】
Ｘ  ：テレビジョン受像機（液晶表示装置）
１ａ，１ｂ，１ｃ：チューナ
３  ：映像切替回路
４  ：映像処理回路
７ａ：リモコン
７ｂ：携帯端末
８  ：制御回路
９ａ：リモコン受光部
９ｂ：ＩｒＳｉｍｐｌｅ受光部
１０：音声切替回路
１１：音声処理回路
１２：冷陰極管（バックライトの光源）
１３：ＬＥＤ（バックライトの光源）
１４：インバータ回路
１５：ＬＥＤ駆動回路
１６：カラーセンサ
１７：明るさセンサ
２１：液晶パネル
Ｓ１，Ｓ２，・・：ステップ（処理手順）
【図１】
2008262108.tif 000003
【図２】
2008262108.tif 000004
【図３】
2008262108.tif 000005
【図４】
2008262108.tif 000006